(57)【要約】【課題】簡易な構造で以って１本の傘を複数用途に使い分けすることができ、使用者の嗜好の選択肢を広げつつ、経済性並びに資源の有効活用を図ること。【解決手段】棒状の中心柱２１の一端に傘骨組２２を開閉可能に枢支した骨組体２０と、複数のシート３０とより成り、中心柱２１の一端に着脱可能な先端キャップ２４を設け、シート３０の周縁部に複数のホルダ３２を設け、先端キャップ２４とホルダ３２を介してシート３０を傘骨組２２に対して着脱自在に構成する。【選択図】　　　　図１
2004049295.tif 000002
【特許請求の範囲】
【請求項１】
棒状の中心柱の一端に傘骨組を開閉可能に枢支した骨組体と、
複数のシートとより成り、
前記傘骨組に対して前記シートを交換可能に構成したことを特徴とする、
傘。
【請求項２】
棒状の中心柱の一端に傘骨組を開閉可能に枢支した骨組体と、
複数のシートとより成り、
中心柱の一端に着脱可能な先端キャップを設け、
前記シートの周縁部に複数のホルダを設け、
前記先端キャップとホルダを介してシートを傘骨組に対して着脱自在に構成したことを特徴とする、
傘。
【請求項３】
シートの裏面に傘骨組と連結可能な複数の帯片を設けたことを特徴とする、請求項１または請求項２に記載した傘。
【発明の詳細な説明】
【０００１】
【発明の属する技術分野】
本発明は傘の改良に関し、より詳細には利便性および経済性に優れた傘に関する。
【０００２】
【従来の技術】
一般に傘は用途単位で分けると雨傘と日傘に大別され、また開閉機構で分けると手動式と自動式に大別される。また収納形式で分ければ折り畳み式と非折り畳み式に大別される。
【０００３】
【発明が解決しようとする課題】
前述したようにこれまでの傘は、用途、開閉機構や収納形式毎の多種の組み合せたものが商品化されている。
更に、各種シート素材や色彩模様の組合せを加えるとその商品数は数限りがない。傘の購入者（使用者）にとっては、多品種傾向は選択肢が広がり、好みに合った傘を入手できるが、その半面、選択した１本の傘に用途や色彩等が限られてしまう。そのため、何本もの傘を所有する結果となり、不経済であるうえに収納スペースも多く要る。
また最近は安価な使い捨て型の傘も提案されているが枯渇傾向にある自然資源の労費を助長し好ましくない。
また廃棄処理するにあたっても、金属と樹脂等のように素材の分別化に手数がかかる難点もある。
【０００４】
本発明は以上の点に鑑みて成されたもので、その目的とするところは簡易な構造で以って１本の傘を複数用途に使い分けすることができる傘を提案することにある。
更に本発明の目的は使用者の嗜好の選択肢を広げつつ、経済性並びに資源の有効活用が図れる傘を提案することにある。
【０００５】
【課題を解決するための手段】
上記した課題を解決するため、本発明に係る傘は、棒状の中心柱の一端に傘骨組を開閉可能に枢支した骨組体と、複数のシートとより成り、前記傘骨組に対して前記シートを交換可能に構成したことを特徴とするものである。
さらに本発明に係る傘は、棒状の中心柱の一端に傘骨組を開閉可能に枢支した骨組体と、複数のシートとより成り、中心柱の一端に着脱可能な先端キャップを設け、前記シートの周縁部に複数のホルダを設け、前記先端キャップとホルダを介してシートを傘骨組に対して着脱自在に構成したことを特徴とするものである。
さらに本発明は、前記した何れかの傘において、シートの裏面に傘骨組と連結可能な複数の帯片を設けたことを特徴とするものである。
【０００６】
本発明によれば、任意のシートを交換できて一本の傘を多種類の傘として使用でき、利便性と経済性に優れる。
また先端キャップの着脱操作とホルダの着脱操作のみの簡単な操作で、シートを付け替えすることができる。
さらにシートに設けた帯片を用いて傘骨組に固定することによりシートの形態が安定し易くなる。
【０００７】
【発明の実施の形態１】
以下、図面を参照しながら本発明の実施の形態について説明する。
【０００８】
＜イ＞傘の全体構成
図１に本発明に係る傘１０の一例を示す。
傘１０は骨組体２０と着け替え可能な複数のシート３０とより成る。
【０００９】
＜ロ＞骨組体
骨組体２０は棒状の中心柱２１と、中心柱２１の一端に開閉可能に枢支した傘骨組２２とにより構成される。
中心柱２１は、伸縮式及び非伸縮式の両方を含み、その基端には各種の取手２３を有し、その先端は傘骨組２２の中心を貫通して、脱着式の先端キャップ２４を組み付けできるようになっている。
先端キャップ２４の脱着機構は、例えば図２に示すように先端ボルト２５ｂに螺合するねじ込み式や、可動フックと固定爪とを嵌合可能に組合せたアタッチメント機構（図示せず）等を採用できる。
要は中心柱２１の先端部と先端キャップ２４が分離可能であって、先端キャップ２４を組み付けたときに傘骨組２２との間でシート３０を保持できる構造であればよい。
傘骨組２２は複数の単骨２２ａと、支え骨２２ｂの集合体で構成されている。
単骨２２ａの本数は、シート３０の大きさを考慮して適宜の本数に設定する性質のもので、少なくとも３本以上あればよい。
各単骨２２ａの基端は、図２に拡大して示すように中心柱２１の先端に設けた固定環体２５に結束線２５ａやピン等で回動自在に軸支されている。さらに図１に示すように各単骨２２ａの途中と中心柱２１にスライド自在に外装した環体２６との間に支え骨２２ｂを連結し、中心柱２１に沿った環体２６のスライド操作により傘骨組２２が椀状に開いたり、閉じたりするようになっている。
以上説明した骨組体２０は例示であり、これ以外にも各種公知の傘の骨組構造を適用できる。
【００１０】
＜ハ＞シート
シート３０は骨組体２０の全面を破覆可能な略円形を呈する一枚ものの薄膜である。
従来の傘はシートが骨組体と一体構造となっているが、本発明では好みのシート３０を選択して装着（交換）できるように骨組体２０に対して分離可能な別体構造となっている。
シート３０は例えば布、樹脂、紙等の各種公知の素材を含むだけでなく、メッシュ状とシート状の両形態も含み、シート３０の表面又は表裏両面に予め任意の色彩や模様が施してある。また無色透明であっても良い
シート３０に共通な構造要素としては、図１に例示するようにシート３０の中央に、中心柱２１の先端ボルト２５ｂに貫挿可能な開口３１を有すると共に、シート３０の周縁に等間隔に複数のホルダ３２を具備していればよい。各ホルダ３２はシート３０の一部を埋設して一体化していて、またホルダ３２は図３に示すように単骨２２ａの先端を着脱可能な挿入孔３３を形成している。
【００１１】
【使用方法】
骨組体２０から先端キャップ２４を取り外し、中心柱２１の先端にシート３０の開口３１を貫挿する。
先端キャップ２４を中心柱２１の先端部の先端ボルト２５ｂにねじ込んで、シート３０の中央部を先端キャップ２４と固定環体２５の間に挟み込む。
つぎにシート３０の周縁に設けたホルダ３２を、傘骨組２２を構成する各単骨２２ａに差し込んで、シート３０の取り付けを完了する。
このように傘骨組２２に対してシート３０の中央部と周縁部の複数箇所を取着して傘１０を組立てる。
またシート３０の取り付けに当っては、予め素材や色柄の異なる複数のシート３０を準備しておき、好みの色柄のものを選んで使用する。
完成した傘１０の使い方は従来と同様である。
色柄の異なる傘１０としたいときは、前述した操作方法と同様に、先端キャップ２４の脱着操作と、ホルダ３２の脱着操作とを行うだけの簡単な操作で以ってシート３０の付け替えが可能となる。
付け替え後のシート３０も付け替え前のシート３０と同様に先端キャップ２４とホルダ３２を介して骨組２２に取り付ける。
【００１２】
【発明の実施の形態２】
図４はシート３０の内側面に各単骨２２ａとの連結手段を設けた他の実施の形態を示すもので、本例ではシート３０の裏面に所定の間隔を隔てて複数のバンド３４の一端を固着し、バンド３４の他端をシート３０の裏面に面テープ３５，３６を介して着脱し得るようにしたもので、バンド３４の着脱により単骨２２ａを跨いで取付できるようする。
バンド３４の自由端の固着手段は面テープ３５，３６に限らず、ボタン式やフック式などであっても良い。
本例のように単骨２３ａの中間でもシート３０を固定すれば、シート３０が傘骨組２２に対してずれ難くなり、安定した取付形態が得られるうえに、単骨２３ａへの着脱操作が簡単に行えるといった利点がある。
【００１３】
【発明の実施の形態３】
また以上はシート３０のみを任意に交換可能に構成した場合について説明したが、先端キャップ２４や取手２３も個別に交換可能に構成しても良い。
本例の場合、先端キャップ２４や取手２３は、色彩や形状等の異なる複数種の形態のものを予め準備しておき、好みのものを付け替えて使用する。
先端キャップ２４や取手２３の着脱は、ねじ式やオスメス嵌合構造によるアタッチメント式やピン差し込み式等の公知の着脱機構を適用できる。
本例の如く先端キャップ２４と取手２３の何れか一方または両方を交換可能に構成すれば、シート３０の絵柄に合わせて先端キャップ２４や取手２３を任意に付け替えすることができる。
【００１４】
【発明の実施の形態４】
以上はシート３０が一枚ものの連続シートである場合について説明したが、シート３０が複数の扇形を呈する複数の分割シート（図示せず）で構成しても良い。この場合、隣り合う各分割シートの接合予定面には、公知の面テープ等の接合処理を部分的又は連続的に施して各分割シートを着脱可能に構成するとよい。
【００１５】
【発明の実施の形態５】
またシート３０と単骨２２ａとの中間部や周縁部を取着する他の手段としては、挟持式のクリップピン（図示せず）を用いてもよい。クリップピンは単骨２２ａ側に予め組付けておくか、或いはシート３０側に予め取り付けておき、グリップピンの弾力を利用して単骨２２ａとの間にシート３０を挟持（把持）させる。または単独のクリップピンをシート３０の内外何れか片方の面から挟み込んで単骨２２ａに固定するようにしもよい。
【００１６】
【発明の実施の形態６】
本発明は折り畳み傘やジャンプ傘等の傘の他に、大型のビーチパラソルにも適用できて、汎用性に富むものである。
【００１７】
【発明の効果】
本発明は以上説明したようになるから、簡易な構造で以って１本の傘を複数用途に使い分けすることができる。
さらに複数本の完成した形態の傘を購入せずに済み、一本の傘に対して少なくともシートを好みのものに付け替え（着せ替え）するだけでよいから、使用者の嗜好の選択肢を広げつつ、経済性並びに資源の有効活用が図れる。
さらに傘を構成する構成材を資材ごとに簡単に分別できるので、廃棄処理が簡単に済むといった利点もある。
【図面の簡単な説明】
【図１】本発明に係る傘の分解断面図、
【図２】傘骨組頂部と一部を省略した先端キャップの取り付け部の斜視図
【図３】シートの周縁部と単骨先端の連結部の部分拡大断面図
【図４】シートにバンドを設けた他の傘の説明図
【符号の説明】
１０　　傘
２０　　骨組体
２１　　中心柱
２２　　傘骨組
２２ａ　単骨
２２ｂ　支え骨
２３　　取手
２４　　先端キャップ
２５　　固定環体
２５ａ　結束線
２５ｂ　先端ボルト
２６　　環体
３０　　シート
３１　　開口
３２　　ホルダ
【図１】
2004049295.tif 000003
【図２】
2004049295.tif 000004
【図３】
2004049295.tif 000005
【図４】
2004049295.tif 000006